【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
シートに画像を形成する画像形成部と、
前記画像形成部によって画像が形成されたシートを排出する排出ローラ対と、
第１積載面と、前記第１積載面のシート排出方向における下流に設けられ、前記第１積載面よりも水平面に対する傾斜角度が小さい第２積載面と、を有し、前記排出ローラ対により排出されたシートを積載する昇降可能なシート積載手段と、
前記シート積載手段に積載されたシートの前記シート排出方向における上流端が突き当たる突き当て面と、
前記シート積載手段を昇降させる昇降手段と、
シートが前記シート積載手段に積載されていない際に、前記シート積載手段を第１位置に位置するように前記昇降手段を制御する第１排出モードと、前記シート積載手段を第２位置に位置するように前記昇降手段を制御する第２排出モードと、を実行可能な制御手段と、を備え、
前記シート積載手段が前記第１位置に位置する際には、前記第２積載面の第１延長線と前記突き当て面を含む平面とが交差する第１交点が、前記排出ローラ対のニップよりも高い位置に位置し、
前記シート積載手段が前記第２位置に位置する際には、前記第２積載面の第２延長線と前記平面とが交差する第２交点が、前記排出ローラ対の前記ニップよりも低い位置に位置し、
前記制御手段は、前記排出ローラ対によって排出されるシートの種類が第１の種類の場合に前記第１排出モードを実行し、前記排出ローラ対によって排出されるシートの種類が第２の種類の場合に前記第２排出モードを実行し、
前記第２の種類のシートは、前記第１の種類のシートよりも剛性が高い、
ことを特徴とする画像形成装置。
【請求項２】
前記排出ローラ対は、上ローラと、前記上ローラの下方に設けられる下ローラと、を有しており、
前記シート排出方向における前記下ローラの下流端は、前記シート積載手段が前記第２位置に位置している際には、前記第２交点よりも上方に位置している、
ことを特徴とする請求項１に記載の画像形成装置。
【請求項３】
前記第２延長線は、前記シート積載手段が前記第２位置に位置している際には、前記下ローラに交差する、
ことを特徴とする請求項２に記載の画像形成装置。
【請求項４】
前記シート排出方向におけるシートの長さを前記制御手段に入力する長さ情報入力手段を備え、
前記制御手段は、前記長さ情報入力手段によって入力された、排出されるシートの前記シート排出方向における長さが、前記第１積載面の長さの２倍以下の場合には、シートの種類に拘わらず、前記第１排出モードに設定する、
ことを特徴とする請求項１乃至３のいずれか１項に記載の画像形成装置。
【請求項５】
前記排出ローラ対は、前記第１排出モードの際かつ前記排出ローラ対がシートの排出を開始した後には、シートの積載量に応じて前記シート積載手段が前記第１位置から下降しつつ、連続してシートを排出し、前記第２排出モードの際かつ前記排出ローラ対がシートの排出を開始した後には、シートの積載量に拘わらず前記シート積載手段が前記第２位置に保持されつつ、連続してシートを排出する、
ことを特徴とする請求項１乃至４のいずれか１項に記載の画像形成装置。
【請求項６】
前記制御手段は、前記第１排出モードの際には、前記シート積載手段の上下方向における位置により前記シート積載手段の満載を検知し、前記第２排出モードの際には、シートの排出枚数により満載を検知する、
ことを特徴とする請求項１乃至５のいずれか１項に記載の画像形成装置。
【請求項７】
前記シート積載手段に排出されたシートの前記シート排出方向と直交する幅方向の端部の位置を揃える揃え手段を備え、
前記制御手段は、前記第１位置に位置する前記シート積載手段に排出されたシートに対して前記揃え手段を駆動させ、前記第２位置に位置する前記シート積載手段に排出されたシートに対しては前記揃え手段を駆動させない、
ことを特徴とする請求項１乃至６のいずれか１項に記載の画像形成装置。
【請求項８】
前記制御手段は、前記第２排出モードの際には、シートが排出された前記シート積載手段を前記第１位置に移動させた後に前記揃え手段を駆動させる、
ことを特徴とする請求項７に記載の画像形成装置。
【請求項９】
前記画像形成部に向けて給送されるシートが支持されるシート支持手段と、
前記シート支持手段に支持されたシートの種類に関する情報を格納する格納手段と、を備え、
前記制御手段は、前記格納手段に格納された情報に基づいて、前記第１排出モード及び前記第２排出モードのいずれかを実行する、
ことを特徴とする請求項１乃至８のいずれか１項に記載の画像形成装置。
【請求項１０】
シートを処理するシート処理部と、
前記シート処理部によって処理されたシートを排出する排出ローラ対と、
第１積載面と、前記第１積載面のシート排出方向における下流に設けられ、前記第１積載面よりも水平面に対する傾斜角度が小さい第２積載面と、を有し、前記排出ローラ対により排出されたシートを積載する昇降可能なシート積載手段と、
前記シート積載手段に積載されたシートの前記シート排出方向における上流端が突き当たる突き当て面と、
前記シート積載手段を昇降させる昇降手段と、
シートが前記シート積載手段に積載されていない際に、前記シート積載手段を第１位置に位置するように前記昇降手段を制御する第１排出モードと、前記シート積載手段を第２位置に位置するように前記昇降手段を制御する第２排出モードと、を実行可能な制御手段と、を備え、
前記シート積載手段が前記第１位置に位置する際には、前記第２積載面の第１延長線と前記突き当て面を含む平面とが交差する第１交点が、前記排出ローラ対のニップよりも高い位置に位置し、
前記シート積載手段が前記第２位置に位置する際には、前記第２積載面の第２延長線と前記平面とが交差する第２交点が、前記排出ローラ対の前記ニップよりも低い位置に位置し、
前記制御手段は、前記排出ローラ対によって排出されるシートの種類が第１の種類の場合に前記第１排出モードを実行し、前記排出ローラ対によって排出されるシートの種類が第２の種類の場合に前記第２排出モードを実行し、
前記第２の種類のシートは、前記第１の種類のシートよりも剛性が高い、
ことを特徴とするシート処理装置。
【請求項１１】
前記排出ローラ対は、上ローラと、前記上ローラの下方に設けられる下ローラと、を有しており、
前記シート排出方向における前記下ローラの下流端は、前記シート積載手段が前記第２位置に位置している際には、前記第２交点よりも上方に位置している、
ことを特徴とする請求項１０に記載のシート処理装置。
【請求項１２】
前記第２延長線は、前記シート積載手段が前記第２位置に位置している際には、前記下ローラに交差する、
ことを特徴とする請求項１１に記載のシート処理装置。
【請求項１３】
前記シート排出方向におけるシートの長さを前記制御手段に入力する長さ情報入力手段を備え、
前記制御手段は、前記長さ情報入力手段によって入力された、排出されるシートの前記シート排出方向における長さが、前記第１積載面の長さの２倍以下の場合には、シートの種類に拘わらず、前記第１排出モードに設定する、
ことを特徴とする請求項１０乃至１２のいずれか１項に記載のシート処理装置。
【請求項１４】
前記排出ローラ対は、前記第１排出モードの際かつ前記排出ローラ対がシートの排出を開始した後には、シートの積載量に応じて前記シート積載手段が前記第１位置から下降しつつ、連続してシートを排出し、前記第２排出モードの際かつ前記排出ローラ対がシートの排出を開始した後には、シートの積載量に拘わらず前記シート積載手段が前記第２位置に保持されつつ、連続してシートを排出する、
ことを特徴とする請求項１０乃至１３のいずれか１項に記載のシート処理装置。
【請求項１５】
前記制御手段は、前記第１排出モードの際には、前記シート積載手段の上下方向における位置により前記シート積載手段の満載を検知し、前記第２排出モードの際には、シートの排出枚数により満載を検知する、
ことを特徴とする請求項１０乃至１４のいずれか１項に記載のシート処理装置。
【請求項１６】
前記シート積載手段に排出されたシートの前記シート排出方向と直交する幅方向の端部の位置を揃える揃え手段を備え、
前記制御手段は、前記第１位置に位置する前記シート積載手段に排出されたシートに対して前記揃え手段を駆動させ、前記第２位置に位置する前記シート積載手段に排出されたシートに対しては前記揃え手段を駆動させない、
ことを特徴とする請求項１０乃至１５のいずれか１項に記載のシート処理装置。
【請求項１７】
前記制御手段は、前記第２排出モードの際には、シートが排出された前記シート積載手段を前記第１位置に移動させた後に前記揃え手段を駆動させる、
ことを特徴とする請求項１６に記載のシート処理装置。
【請求項１８】
前記シート処理部に向けて給送されるシートが支持されるシート支持手段と、
前記シート支持手段に支持されたシートの種類に関する情報を格納する格納手段と、を備え、
前記制御手段は、前記格納手段に格納された情報に基づいて、前記第１排出モード及び前記第２排出モードのいずれかを実行する、
ことを特徴とする請求項１０乃至１７のいずれか１項に記載のシート処理装置。
【手続補正２】
【補正対象書類名】明細書
【補正対象項目名】発明の名称
【補正方法】変更
【補正の内容】
【発明の名称】画像形成装置及びシート処理装置
【手続補正３】
【補正対象書類名】明細書
【補正対象項目名】０００１
【補正方法】変更
【補正の内容】
【０００１】
本発明は、シートに画像を形成する画像形成装置及びシートを処理するシート処理装置に関する。
【手続補正４】
【補正対象書類名】明細書
【補正対象項目名】００１２
【補正方法】変更
【補正の内容】
【００１２】
そこで、本発明は、このような現状に鑑みてなされたものであり、剛性にかかわらず、シートを安定して積載することのできる画像形成装置及びシート処理装置を提供することを目的とするものである。
【手続補正５】
【補正対象書類名】明細書
【補正対象項目名】００１３
【補正方法】変更
【補正の内容】
【００１３】
本発明は、画像形成装置において、シートに画像を形成する画像形成部と、前記画像形成部によって画像が形成されたシートを排出する排出ローラ対と、第１積載面と、前記第１積載面のシート排出方向における下流に設けられ、前記第１積載面よりも水平面に対する傾斜角度が小さい第２積載面と、を有し、前記排出ローラ対により排出されたシートを積載する昇降可能なシート積載手段と、前記シート積載手段に積載されたシートの前記シート排出方向における上流端が突き当たる突き当て面と、前記シート積載手段を昇降させる昇降手段と、シートが前記シート積載手段に積載されていない際に、前記シート積載手段を第１位置に位置するように前記昇降手段を制御する第１排出モードと、前記シート積載手段を第２位置に位置するように前記昇降手段を制御する第２排出モードと、を実行可能な制御手段と、を備え、前記シート積載手段が前記第１位置に位置する際には、前記第２積載面の第１延長線と前記突き当て面を含む平面とが交差する第１交点が、前記排出ローラ対のニップよりも高い位置に位置し、前記シート積載手段が前記第２位置に位置する際には、前記第２積載面の第２延長線と前記平面とが交差する第２交点が、前記排出ローラ対の前記ニップよりも低い位置に位置し、前記制御手段は、前記排出ローラ対によって排出されるシートの種類が第１の種類の場合に前記第１排出モードを実行し、前記排出ローラ対によって排出されるシートの種類が第２の種類の場合に前記第２排出モードを実行し、前記第２の種類のシートは、前記第１の種類のシートよりも剛性が高い、ことを特徴とするものである。
また、シート処理装置において、シートを処理するシート処理部と、前記シート処理部によって処理されたシートを排出する排出ローラ対と、第１積載面と、前記第１積載面のシート排出方向における下流に設けられ、前記第１積載面よりも水平面に対する傾斜角度が小さい第２積載面と、を有し、前記排出ローラ対により排出されたシートを積載する昇降可能なシート積載手段と、前記シート積載手段に積載されたシートの前記シート排出方向における上流端が突き当たる突き当て面と、前記シート積載手段を昇降させる昇降手段と、シートが前記シート積載手段に積載されていない際に、前記シート積載手段を第１位置に位置するように前記昇降手段を制御する第１排出モードと、前記シート積載手段を第２位置に位置するように前記昇降手段を制御する第２排出モードと、を実行可能な制御手段と、を備え、前記シート積載手段が前記第１位置に位置する際には、前記第２積載面の第１延長線と前記突き当て面を含む平面とが交差する第１交点が、前記排出ローラ対のニップよりも高い位置に位置し、前記シート積載手段が前記第２位置に位置する際には、前記第２積載面の第２延長線と前記平面とが交差する第２交点が、前記排出ローラ対の前記ニップよりも低い位置に位置し、前記制御手段は、前記排出ローラ対によって排出されるシートの種類が第１の種類の場合に前記第１排出モードを実行し、前記排出ローラ対によって排出されるシートの種類が第２の種類の場合に前記第２排出モードを実行し、前記第２の種類のシートは、前記第１の種類のシートよりも剛性が高い、ことを特徴とするものである。
【手続補正６】
【補正対象書類名】明細書
【補正対象項目名】００１４
【補正方法】変更
【補正の内容】
【００１４】
本発明によれば、シートの剛性にかかわらず、シートを安定して積載することができる。